【事件の表示】
　特願２００６−１９０２８１「インクジェット記録ヘッド」拒絶査定不服審判事件〔平成２０年　１月３１日出願公開、特開２００８−　１８５５６〕について、次のとおり審決する。
【結　論】
　本件審判の請求は、成り立たない。
【理　由】
１　手続の経緯・本願発明
（１）手続の経緯
　本願は、平成１８年７月１１日の出願であって、平成２０年８月２２日付けで手続補正がなされ、平成２０年１２月２５日付けで拒絶査定がなされ、これに対して、平成２１年２月６日に拒絶査定不服審判が請求されたものである。
　
（２）本願発明
　本願の請求項１ないし８に係る発明は、平成２０年８月２２日付け手続補正によって補正された明細書、特許請求の範囲及び図面の記載からみて、その特許請求の範囲の請求項１ないし８に記載された事項により特定されるとおりのものと認められるところ、請求項１に係る発明は次のものである。
　
「共通液室から供給されたインクを吐出する複数の吐出口からなる複数の吐出口列が前記共通液室の両側に形成された、被記録媒体が走査される副走査方向に交差する方向である主走査方向に走査されるインクジェット記録ヘッドにおいて、
　前記共通液室の一方の側には、第１の吐出口列と、前記第１の吐出口列に対して前記主走査方向に隣接して配置され、前記第１の吐出口列の吐出量と異なる吐出量の前記吐出口からなる第２の吐出口列とを有し、前記第１の吐出口列の各前記吐出口と、前記第２の吐出口列の各前記吐出口とが前記副走査方向に等間隔で配列され、かつ前記第１の吐出口列の各前記吐出口と、前記第２の吐出口列の各前記吐出口とが千鳥配列されて構成される第１の吐出口列群が形成されており、
　前記共通液室の他方の側には、前記第１の吐出口列および前記第２の吐出口列のいずれか一方と同じ吐出量の前記吐出口からなる共通吐出量吐出口列と、前記共通吐出量吐出口列に対して前記主走査方向に隣接して配置され、前記第１の吐出口列群とは異なる吐出量の吐出口からなる非共通吐出量吐出口列とを有し、前記共通吐出量吐出口列の各前記吐出口と、前記非共通吐出量吐出口列の各前記吐出口とが前記副走査方向に等間隔で配列され、かつ前記共通吐出量吐出口列の各前記吐出口と、前記非共通吐出量吐出口列の各前記吐出口とが千鳥配列されて構成される第２の吐出口列群が形成されており、
　前記第１の吐出口列群と前記第２の吐出口列群とにより吐出口列組が複数構成され、
　前記第２の吐出口列群は、前記第１の吐出口列群に対して前記第１の吐出口列群の吐出口の配列ピッチの１／２ピッチ分前記副走査方向にずれて配置されており、
　複数の前記吐出口列組のうち同色のインクを吐出する前記吐出口列組の前記非共通吐出量吐出口列どうしは、互いに前記非共通吐出量吐出口列の吐出口の配列ピッチの１／２ピッチ分前記副走査方向にずれて配置されていることを特徴とするインクジェット記録ヘッド。」（以下「本願発明」という。）
　
２　刊行物の記載事項
　原査定の拒絶の理由に引用された「本願の出願前に頒布された刊行物である特開２００６−７６０１０号公報（以下「引用例」という。）」には、図とともに次の事項が記載されている（下線は審決で付した。）。
（１）「【０００１】
  本発明は、液体を吐出し記録を行う液体噴射記録ヘッドに関し、特に液体の吐出量の異なる複数の液滴を利用して記録を行う
液体噴射記録ヘッド
【背景技術】
【０００２】
  
サーマルインクジェット技術を用いたカラーインクジェットプリンタ
吐出口配列の解像度が６００ｄｐｉ、１２００ｄｐｉと年々高解像度化している
【０００３】
  また、画像を形成する
吐出インク滴のサイズ
カラーインクを吐出させる記録ヘッド
１５ｐｌ程度から５ｐｌ、２ｐｌと年々小液滴化している
【０００４】
  しかし、小液滴、高解像度の記録ヘッドにおいては、フォト画像の印刷出力など高品位のユーザーニーズに対応できるものの、帳票におけるカラーグラフなどの解像度の要求されない粗い画像の印刷出力に対しては、小液滴、高解像度による画像出力データの肥大化、および、データ転送時間を多く必要とする点から、高速印刷の要求には反する結果となる。
【０００５】
  これを改善するためには、高速印刷時には比較的大きいサイズの液滴で、少ない出力データサイズで画像を形成できることが望ましく、高画質印刷の場合には液滴サイズを変調させ、形成画像の粒状性を極力少なくすることが望まれるため、同一色インクの記録ヘッドノズル群で異なるサイズの液滴を吐出させ、一色あたりの液滴サイズを変調させることが求められる。
【０００６】
  このような要求に対し、例えば、特許文献１には、同一の吐出口から異なるサイズのインク滴を吐出させる手段が開示されている。この場合、同一の吐出口に連通するインク流路内に異なるサイズの電気熱変換素子を配置し、個々の電気熱変換素子の発泡を使い分けることにより、同一の吐出口から複数種類のサイズのインク滴を吐出させることを可能にしている。
【０００７】
  また、特許文献２には、大小のサイズのインク滴を吐出させる吐出口を交互に千鳥状に配置したインクジェット記録ヘッドが開示されている。
【特許文献１】特開平０８−１８３１７９号公報
【特許文献２】米国特許第６１３７５０２号明細書
【発明の開示】
【発明が解決しようとする課題】
【０００８】
  しかしながら、引用文献１においては、同一インク流路で異なる液滴を吐出させるため、異なるサイズの液滴によって、ノズル後方からのインク供給速度が変化し、インクジェット記録ヘッドを走させながらプリントを行う、いわゆる
シリアル方式の
【０００９】
  また、引用文献２に関しては大小の吐出口を同数配置しているため、吐出量を大きく設定すれば大吐出量を使用する高速印字には大きな問題はないが、高画質な階調印字（フォト印字）時には画質の低下の問題が生じる。逆に吐出量を小さく設定した場合には、フォトの画質は良化するが、印字パス数増による速度低下を招く。
【００１０】
  本発明は、上述したような課題を考慮したうえで高速かつ高画質の画像形成が可能な液体噴射記録ヘッドを提供することを目的とする。
【課題を解決するための手段】
【００１１】
  上述の課題を解決するために、本願発明の液体噴射記録ヘッドは、液体を供給する液体供給口からの液体を該液体供給口の両側に設けられた複数の吐出口から吐出して記録を行う液体噴射記録ヘッドにおいて、前記複数の吐出口は、それぞれ吐出口径の異なる第１の吐出口群、第２の吐出口群、第３の吐出口群を備え、前記第１の吐出口群の吐出口径は他の吐出口群の吐出口径よりも大きく、前記第３の吐出口群の吐出口径は他の吐出口群の吐出口径よりも小さいとともに、前記第１の吐出口群の吐出口数が、他の吐出口群の吐出口数よりも多いことを特徴とする。
【００１２】
  上述の構成をとることによって、
大ドットによる高速印字（１パス）に対応し、かつ中と小のドットでフォトの高速印字（２パス）に対応し、さらに小ドットのみでのフォト高画質にも対応可能なインクジェット記録ヘッド
【００１３】
  また、本発明の他の形態の液体噴射記録ヘッドは、液体を供給する液体供給口からの液体を該液体供給口の両側に設けられた複数の吐出口から吐出して記録を行う液体噴射記録ヘッドにおいて、前記複数の吐出口は、それぞれ吐出口径の異なる第１の吐出口群、第２の吐出口群、第３の吐出口群を備え、前記第１の吐出口群の吐出口径は他の吐出口群の吐出口径よりも大きく、前記第３の吐出口群の吐出口径は他の吐出口群の吐出口径よりも小さいとともに、前記第１の吐出口群は前記液体供給口の片側のみに配置され、該液体供給口の他方には前記第２および第３の吐出口群が交互に配置され、該交互に配置された吐出口の配列密度が、前記第１の吐出口群の配置密度の２倍であることを特徴とする。
【００１４】
  上述の構成をとることで、大ドットによる高速印字（１パス）、小ドットのみでのフォト高画質にも対応可能となるだけでなく、中と小のノズルの配列密度が大ノズルの２倍となっているために、中と小のドットでフォトの高速印字をする際に若干キャリッジのスキャンスピードを落とすだけでフォトの高速印字（１パス）が可能となる。
【発明の効果】
【００１５】
  本願発明によれば、いずれの形態においても高速印字とフォト高画質を両立することができる。さらに、大、中、小の液滴を吐出するノズルを１つのインク供給口の両側に配置しているので、記録ヘッドの大型化を招くことなく、上記種々の印字モードが低コストで達成可能である。
【発明を実施するための最良の形態】
【００１６】
  以下、本発明の具体的な実施形態について図面を参照して説明する。
【００１７】
  図８，図９に、本発明を適用可能な記録ヘッドカートリッジ、液体噴射記録ヘッド、液体収納容器を説明するための斜視図を示す。
【００１８】
  本実施形態の液体噴射記録ヘッド（以下、単に記録ヘッドと称する。）は、記録ヘッドカートリッジを構成する一構成要素である。すなわち、図６に示すように、記録ヘッドカートリッジＨ１０００は、記録ヘッドＨ１００１と、この記録ヘッドＨ１００１に対して着脱自在に設けられ記録ヘッドＨ１００１にインクを供給するための液体収納容器（以下、インクタンク）Ｈ１９００とを備えて構成されている。そして、記録ヘッドＨ１００１は、インクタンクＨ１９００から供給されたインク等の液体を、記録情報に応じて吐出口から吐出することで、記録媒体に文字や画像等を記録する。
【００１９】
  この記録ヘッドカートリッジＨ１０００は、記録装置側が備えるキャリッジに対して着脱可能にされている。この記録ヘッドカートリッジＨ１０００は、キャリッジに設けられた接続端子部を介して電気的に接続されるとともに、キャリッジに設けられた位置決め部によって所定位置に固定されて支持される。
【００２０】
  記録ヘッドＨ１００１は、電気信号に応じて膜沸騰をインクに生じさせるための熱エネルギを生成する電気熱変換体として発熱体を用いて記録を行うバブルジェット（登録商標）方式の記録ヘッドである。この記録ヘッドＨ１００１は、図８に示すように、記録用紙等の記録媒体に文字や画像等を記録するための記録素子ユニットＨ１００２と、この記録素子ユニットＨ１００２にインクを供給するためのインク供給ユニットＨ１００３と、このインク供給ユニットＨ１００３にインクを供給するためのインクタンクＨ１９００を着脱可能に保持するためのタンクホルダーＨ２０００とを備えている。
【００２１】
  記録素子ユニットは、本実施例では
ブラック、シアン，マゼンタ，イエローを吐出するために４組の記録素子部が設けられ
【００２２】
  図９に、記録素子ユニットＨ１００２の構成を説明するために
１組の記録素子部
記録素子部は、
インクを吐出するための複数の電気熱変換素子Ｈ１１０３と、
電気熱変換素子Ｈ１１０３に対応する複数のインク流路Ｈ１１１１と複数の吐出口Ｈ１１０７と
各インク流路Ｈ１１１１に、インクを供給するためのインク供給口Ｈ１１０２を有する共通液室Ｈ１１１２が連通されて形成され
【００２３】
  インク供給口Ｈ１１０２を有する共通液室Ｈ１１１２は、Ｓｉの結晶方位を利用した異方性エッチング処理やサンドブラスト処理などの処理方法で形成されている。すなわち、Ｓｉ基板Ｈ１１１０が、ウエハー面方向に＜１００＞、厚さ方向に＜１１１＞の結晶方位を持つ場合には、アルカリ系（ＫＯＨ，ＴＭＡＨ，ヒドラジン等）による異方性エッチング処理によって、約５４．７度の角度でエッチング処理を進行させて得る。これにより所望の深さにエッチング処理を行い、貫通口からなる長溝状のインク供給口Ｈ１１０２を有する共通液室Ｈ１１１２を形成する。
【００２４】
  また、記録素子部には、
インク供給口Ｈ１１０２を間に挟んで両側に電気熱変換素子Ｈ１１０３がそれぞれ１列ずつ千鳥状に配列され
電気熱変換素子Ｈ１１０３に対向する位置に吐出口Ｈ１１０７が設けられているため、インク供給口Ｈ１１０２からインク流路Ｈ１１１１内に供給されたインクは、電気熱変換素子Ｈ１１０３の発熱作用により発生した気泡によって吐出口Ｈ１１０７から吐出される
【００２５】
  以下、本発明の各実施形態について説明するが、吐出口の配置を説明する説明図では、一組の記録素子部のみについて説明することとし、必要に応じ全ての記録素子部について同様の配置をしても良いし、特定の色を吐出する記録素子部（例えばブラックのみ、あるいはブラック以外のみ）についてのみ、各実施形態を適用しても良いものとする。
【００２６】
  ［第１実施形態］
  図１は、本発明の第１実施形態における、吐出口の配置を説明する模式的説明図である。
【００２７】
  本実施形態では、吐出口径の最も大きい第１の吐出口群１と、それより小さい第２の吐出口群２，最も小さい第３の吐出口群３を備えている。第１の吐出口群から吐出される液滴が最も大きく、第３の吐出口群から吐出される液滴が最も小さい。そこで、以下、第１の吐出口群１のノズルを大ノズル、第２の吐出口群２のノズルを中ノズル、第２の吐出口群３のノズルを小ノズル、とし、各吐出口から吐出される液滴を、それぞれ大ドット、中ドット、小ドットとして説明する。
【００２８】
  本実施形態は、
インク供給口４の両側に複数の吐出口が配列しており、一方に大ドットを吐出する大ノズル１の列、他方に中ドットを吐出する中ノズル２と小ドットを吐出する小ノズル３が交互に配置された列からなる
【００２９】
  ここでインク供給口４および
吐出口１〜３
【００３０】
  大中小の各ノズルの吐出量は、吐出口の配列ピッチＰやインクの物性等によって変わるが、本実施形態においては、吐出口の配列ピッチＰは
６００ｄｐｉ、
吐出量は１２ｐｌ
吐出量は４．５ｐｌ
吐出量は１．５ｐｌ
【００３１】
  図２に本実施形態のヘッドによる
各印字モード
【００３２】
  次に図２を用いて各モードの印字状態を詳細に説明する。
【００３３】
  図２（ａ）−１は、上記のように
普通紙カラー印字等の高速印字に対応した印字パターンであり、大ノズル１より吐出された大ドット１１のみで印字
大ノズル１はピッチＰで配列
スキャン方向にピッチＰの位置で次の印字を行う。すなわち本実施例においては１パスで所望の打ち込み（１００％）の印字が可能である
【００３４】
  図２（ｂ）−１、図２（ｂ）−２は、上記のように
フォトの高速印字に対応した印字パターンであり、中ノズル２より吐出された中ドット１２と小ノズル３より吐出された小ドット１３で印字される
中・小の各ノズル２・３はピッチＰの間隔で交互に配列されている
１パス目に２ピッチ分には中ドット１２と小ドット１３が同時に印字可能される。そして、スキャン方向にピッチＰの１／２の位置で次の印字を行う
６００ｄｐｉ×１２００ｄｐｉ
（ａ）の印字モードの駆動周波数が１５ｋＨｚ
３０ｋＨｚの
（ａ）と同じキャリッジのスキャン速度での印字が可能である
ピッチＰの奇数倍の紙送りを行った後２パス目に中ドット１２の上に小ドット１３が、小ドット１３の上に中ドット１２が印字される。これにより本実施例においてはキャリッジのスキャンスピードを落とすことなく２パスで所望の打ち込み（１００％）となる
【００３５】
  図２（ｃ）−１〜図２（ｃ）８は、上記のように
フォトの高画質印字
小ノズル３より吐出された小ドット１３のみで印字される
１パス目に２ピッチ分には小ドット１３が１列のみ印字され
さらに高くすることが可能である
キャリッジのスキャン速度を統一する観点より印字モード（ｂ）と同じ３０ｋＨｚでの印字を行った
ピッチＰの奇数倍の紙送りを行った後２パス目に小ドット１３を１列印字
ピッチＰよりも１／２ピッチずらした紙送りを行った後３パス目の印字を行う
ピッチＰの奇数倍の紙送りを行った後４パス目の印字を行う
ピッチＰよりも１／４ピッチずらした紙送りを行った後５パス目の印字をスキャン方向にも１／４ピッチずらして５パス目の印字を行
２〜４と同様に６から８パス目の印字を行う
２４００ｄｐｉ＊２４００ｄｐｉの
【００３６】
  本実施例では、図２（ｃ）−１〜図２（ｃ）−４と図２（ｃ）−５〜図２（ｃ）−８の印字ドットをずらした例を示したが、上述したように実際のドットは図２のドットより大きいので、図２（ｃ）−１〜図２（ｃ）−４と図２（ｃ）−５〜図２（ｃ）−８の印字ドットを重ねても良好な印字が得られた。すなわち本実施例においては
８パスで所望の打ち込み
【００３７】
  以上述べたように本実施例によれば、大・中・小の吐出量を持つノズル群を備えたインクジェットヘッドにおいて、大ドットの吐出口の数が多いため高速印字（１パス）が可能であり、かつ中と小のドットでフォトの高速印字（２パス）にも対応可能であり、さらに小ドットのみでのフォト高画質にも対応可能である。
【００３８】
  以上本実施形態について説明してきたが、もちろん大中小の吐出量や印字モードは本実施形態の数字に限定されるものではない。例えば、大中小を同時に使用して階調印字を行うことにより、フォト印字の印字パス数を減らすことも可能である。
【００３９】
  ［第２実施形態］
  図３（ａ）は本発明の第２実施形態における、吐出口の配置を説明する模式的説明図である。本実施形態の特徴は、
大ドットの吐出口１がインク供給口４の両側に配置さ
大ドットを吐出する大ノズル１が中・小のドッドを吐出する中ノズル２・小ノズル３に対して倍となっている
大ドットを吐出する大ノズル１と中ドットを吐出する中ノズル２が交互に配置された列を有し、その対岸に小ドットを吐出する小ノズル３と大ドットを吐出する大ノズル１が交互に配置された列からなる構成とな
【００４０】
  各印字モードにおける印字状態については、第１実施形態に対して
大中小の吐出口の配置がインク供給口に対して
【００４１】
  さらに本実施例においては、大の吐出量を吐出する吐出口１と中（または小）の吐出量を吐出する吐出口２（または吐出口３）が交互に配置された構造となっている為、大ドットと、中ドットまたは小ドットを同時に印字するモード以外では隣接ノズルが使用されない構成となっている。図２に示した印字モードにおいて、上記のように（ａ）は大のドットのみによる高速印字、（ｂ）は中小のドットによるフォトの高速印字、（ｃ）は小のドットのみによるフォト高画質印字であり、どのモードにおいても隣接ノズルが使用されることはない。一般にインクジェット記録ヘッドにおいては、近隣ノズルの駆動による影響で吐出状態が変化してしまう所謂クロストークが問題となるが、本実施形態では上記のように最も影響の大きい隣接ノズルが同時に使用されないのでクロストークを大幅に低減できる。
【００４２】
  なお、図３（ｂ）、図３（ｃ）はそれぞれ図３（ａ）に示す第２実施形態の変形例であり、図３（ｂ）は、図３（ａ）に対して大の吐出量を吐出する吐出口１のみ駆動に合わせて吐出口位置をずらした例である。一般にインクジェット記録ヘッドにおいては、電圧降下等の観点から、すべてのノズルを同時に吐出するのではなく複数に分割して時間をずらして吐出するよう駆動している。当然時間をずらして駆動されるとキャリッジのスキャンに伴い印字位置がずれることになる。本実施例では、このずれを無くす為、吐出口１の位置をあらかじめ駆動に合わせずらしている。図示していないが、リフィル時間が異ならないようノズルのインク流入部の形状で調整している。また本変形例では、ドットが大きく印字のずれが目立ちやすい、大の吐出量を吐出する吐出口１のみ駆動に合わせ吐出口位置をずらしているが、もちろん中小にも同様の位置ズラシを適用してもかまわない。
【００４３】
  図３（ｃ）は、図３（ａ）から
大ノズル１に対し中・小のノズル２・３を千鳥に配置した
中・小のノズル２・３をインク供給口４に近い側に配置し
中・小のノズルのリフィル時間を早くし図２のモード（ｂ）、（ｃ）をより高い周波数で印字することによりフォト印字の更なる高速化に対応した
　
（２）図１、図２、図３（ａ）及び図３（ｃ）から、次のアないしウのことが見て取れる。
　ア　図１の説明図で説明されている吐出口配列を有する液体噴射記録ヘッドは、大ノズル１をピッチＰで紙送り方向に配列した第１ノズル列をインク供給口４のキャリッジスキャン方向後方側（一方側）に、中ノズル２と小ノズル３がピッチＰの間隔で交互に紙送り方向に配列された第２ノズル列をインク供給口４のキャリッジスキャン方向前方側（他方側）に、それぞれ配列したものであり、大ノズル１の数が中ノズル２の数や小ノズル３の数に対して倍になっていること。
　イ　図３（ａ）の説明図で説明されている吐出口配列を有する液体噴射記録ヘッドは、図１の説明図で説明されている吐出口配列を有する液体噴射記録ヘッドの第１ノズル列の紙送り方向にみて偶数番目の大ノズル１の配置及び第２ノズル列の紙送り方向にみて偶数番目の中ノズル２の配置をインク供給口４に対して入替えたものであること。
　ウ　図３（ｃ）の説明図で説明されている吐出口配列を有する液体噴射記録ヘッドは、インク供給口４のキャリッジスキャン方向両側に２列ずつ吐出口（ノズル）列を有しており、その一方側（キャリッジスキャン方向後方側）には、大ノズル１がピッチ２Ｐで紙送り方向に５個配列された大ノズルからなる第５ノズル列が、インク供給口４から遠い場所に配列され、中ノズル２（図３（ａ）及び（ｃ）の大ノズルの符号２は、図１の符号１及び符号２の記載からみて、符号１の誤記であり、中ノズルに符号２が付されるべきことが明らかである。）がピッチ２Ｐで紙送り方向に５個配列された中ノズルからなる第６ノズル列がインク供給口４に近い場所に配列されて、紙送り方向のピッチがＰで１０個のノズルが千鳥状に配列された第１のノズル列群を形成しており、インク供給口４の他方側（キャリッジスキャン方向前方側）には、小ノズル３がピッチ２Ｐで紙送り方向に５個配列された小ノズルからなる第７ノズル列が、インク供給口４に近い場所に配列され、大ノズル１がピッチ２Ｐで紙送り方向に５個配列された大ノズルからなる第８ノズル列が、インク供給口４から遠い場所に配列されて、紙送り方向のピッチがＰで１０個のノズルが千鳥状に配列された第２のノズル列群を形成しており、前記第２のノズル列群の大ノズルは、前記第１のノズル列群の大ノズルに対して前記第１のノズル列群の大ノズルの配列ピッチ（２Ｐ）の１／２ピッチ分（Ｐ）前記紙送り方向にずれて配置されていること。
　
（３）上記（１）及び（２）からみて、引用例には、
「吐出口（ノズル）配列の解像度が６００ｄｐｉ、１２００ｄｐｉと年々高解像度化し、吐出インク滴のサイズが１５ｐｌ程度から５ｐｌ、２ｐｌと年々小液滴化しているサーマルインクジェット技術を用いたシリアル方式のカラーインクジェットプリンタの液体噴射記録ヘッドであって、
　ブラック、シアン，マゼンタ，イエローを吐出するために４組の記録素子部が設けられ、各組の記録素子部は、インクを吐出するための複数の電気熱変換素子と、電気熱変換素子に対応する複数のインク流路と複数の吐出口（ノズル）と、各インク流路に連通されて形成され、インクを供給するためのインク供給口を有する共通液室とからなり、前記電気熱変換素子は、インク供給口を間に挟んで両側にそれぞれ１列ずつ千鳥状に配列されており、前記吐出口（ノズル）は、電気熱変換素子に対向する位置に設けられ、インク供給口からインク流路内に供給されたインクは、電気熱変換素子の発熱作用により発生した気泡によって吐出口（ノズル）から吐出されるようになっている液体噴射記録ヘッドにおいて、
　大ドットによる高速印字（１パス）に対応し、かつ中と小のドットでフォトの高速印字（２パス）に対応し、さらに小ドットのみでのフォト高画質にも対応可能にするため、
　大ドットを吐出する吐出量が１２ｐｌの大ノズルをピッチＰで紙送り方向に配列した第１ノズル列をインク供給口のスキャン方向一方側に、中ドットを吐出する吐出量が４．５ｐｌの中ノズルと小ドットを吐出する吐出量が１．５ｐｌの小ノズルがピッチＰの間隔で交互に紙送り方向に配列された第２ノズル列をインク供給口のスキャン方向他方側に、それぞれ配列し、大ノズルの数を中ノズルの数や小ノズルの数に対して倍の数にして、
　スキャン方向にピッチＰの位置で次々に大ドットによる印字を行い、１パスで印字が可能である高速印字する駆動周波数１５ｋＨｚ、６００ｄｐｉ×６００ｄｐｉの普通紙カラー印字の高速印字モード、１パス目にスキャン方向にピッチＰの１／２の位置で次々に中ドットと小ドットによる印字を行い、ピッチＰの奇数倍の紙送りを行った後２パス目に中ドットの上に小ドットを、小ドットの上に中ドットを次々に印字し、これによりキャリッジのスキャンスピードを落とすことなく２パスで印字する、駆動周波数３０ｋＨｚ、６００ｄｐｉ×１２００ｄｐｉのフォトの高速印字モード、および、１パス目に小ドットが１列のみ印字され、ピッチＰの奇数倍の紙送りを行った後２パス目に小ドットを１列印字し、ピッチＰよりも１／２ピッチずらした紙送りを行った後３パス目の印字を行い、ピッチＰの奇数倍の紙送りを行った後４パス目の印字を行い、ピッチＰよりも１／４ピッチずらした紙送りを行った後５パス目の印字をスキャン方向にも１／４ピッチずらして５パス目の印字を行い、２パス目ないし４パス目と同様に６パス目から８パス目の印字する、駆動周波数はさらに高くすることが可能である、２４００ｄｐｉ×２４００ｄｐｉのフォトの高画質印字モードの各印字モードで印字できるようにし、
　さらに、前記大ノズルがインク供給口のスキャン方向両側に配置されるように、第１ノズル列の偶数番目の大ノズルの配置及び第２ノズル列の偶数番目の中ノズルの配置をインク供給口に対して入替えて、大ノズルと中ノズルが交互に配置された第３ノズル列を有し、その対岸に小ノズルと大ノズルが交互に配置された第４ノズル列からなる構成となしたうえで、
　中ノズル及び小ノズルをインク供給口に近い側に配置して大ノズルに対し中ノズルや小ノズルを千鳥配置にし、インク供給口のキャリッジスキャン方向両側に２列ずつノズル列を有しており、そのキャリッジスキャン方向後方側には、大ノズルがピッチ２Ｐで紙送り方向に配列された第５ノズル列が、インク供給口から遠い場所に配列され、中ノズルがピッチ２Ｐで紙送り方向に配列された第６ノズル列がインク供給口に近い場所に配列されて、ノズルが紙送り方向のピッチＰで千鳥状に配列された第１のノズル列群を形成しており、インク供給口のキャリッジスキャン方向前方側には、小ノズルがピッチ２Ｐで紙送り方向に配列された第７ノズル列が、インク供給口に近い場所に配列され、大ノズルがピッチ２Ｐで紙送り方向に配列された第８ノズル列が、インク供給口から遠い場所に配列されて、ノズルが紙送り方向のピッチＰで千鳥状に配列された第２のノズル列群を形成して、中ノズル及び小ノズルのリフィル時間を早くすることにより、高い周波数での印字を可能にして、フォトの高速印字及びフォトの高画質印字を更に高速化しており、前記第２のノズル列群の大ノズルは、前記第１のノズル列群の大ノズルに対して前記第１のノズル列群の大ノズルの配列ピッチ（２Ｐ）の１／２ピッチ分（Ｐ）前記紙送り方向にずれて配置されている液体噴射記録ヘッド。」の発明（以下「引用発明」という。）が記載されているものと認められる。
　
３　対比
　本願発明と引用発明とを対比する。
（１）引用発明の「共通液室」、「インク」、「吐出」、「吐出口（ノズル）」、「第５ないし第８ノズル列」、「（共通液室の）インク供給口のキャリッジスキャン方向両側」、「紙送り方向」、「スキャン方向」、「スキャン（パス）」、「液体噴射記録ヘッド」、「（共通液室の）インク供給口のキャリッジスキャン方向後方側」、「『第５ノズル列』及び『第６ノズル列』」、「吐出量」、「ピッチ２Ｐで紙送り方向に配列」、「千鳥配置」、「第１のノズル列群」、「（共通液室の）インク供給口のキャリッジスキャン方向前方側」、「大ノズルがピッチ２Ｐで紙送り方向に配列された第８ノズル」、「小ノズルがピッチ２Ｐで紙送り方向に配列された第７ノズル列」、「第２のノズル列群」及び「『ノズルが千鳥状に配列された第１のノズル列群』のノズルの『紙送り方向のピッチＰ』」は、それぞれ、本願発明の「共通液室」、「インク」、「吐出」、「吐出口」、「複数の吐出口列」、「共通液室の両側」、「被記録媒体が走査される副走査方向」、「主走査方向」、「走査」、「インクジェット記録ヘッド」、「共通液室の一方の側」、「『第１の吐出口列』及び『第２の吐出口列』」、「吐出量」、「副走査方向に等間隔で配列」、「千鳥配列」、「第１の吐出口列群」、「共通液室の他方の側」、「共通吐出量吐出口列」、「非共通吐出量吐出口列」、「第２の吐出口列群」及び「第１の吐出口列群の吐出口の配列ピッチ」に相当する。
　
（２）引用発明の「複数の吐出口列（第５ないし第８ノズル列）」は、共通液室のインク供給口のキャリッジスキャン方向両側に２列ずつ有しているノズル列であるから、本願発明の「複数の吐出口列」と、「前記共通液室の両側に形成された」点で一致する。
　
（３）引用発明において、「インクジェット記録ヘッド（液体噴射記録ヘッド）」は、「インクを供給するためのインク供給口から、インク流路内に供給されたインクは、電気熱変換素子の発熱作用により発生した気泡によって吐出口（ノズル）から吐出されるようになって」おり、インク供給口は「共通液室」が有するものであるから、引用発明の「吐出口」と本願発明の「吐出口」とは「共通液室から供給されたインクを吐出する」ものである点で一致する。
　
（４）引用発明の「インクジェット記録ヘッド（液体噴射記録ヘッド）」は、シリアル方式のものであり、スキャン方向に次々に印字を行い紙送りを行って印字するものであるから、本願発明の「インクジェット記録ヘッド」と、「被記録媒体が走査される副走査方向に交差する方向である主走査方向に走査される」ものである点で一致することが明らかである。
　
（５）上記（１）に照らせば、引用発明の「インク供給口のキャリッジスキャン方向後方側には、大ノズルがピッチ２Ｐで紙送り方向に配列された第５ノズル列が、インク供給口から遠い場所に配列され、中ノズルがピッチ２Ｐで紙送り方向に配列された第６ノズル列がインク供給口に近い場所に配列されて、ノズルが紙送り方向のピッチＰで千鳥状に配列された第１のノズル列群を形成して」いる点は、本願発明の「前記共通液室の一方の側には、第１の吐出口列と、前記第１の吐出口列に対して前記主走査方向に隣接して配置され、前記第１の吐出口列の吐出量と異なる吐出量の前記吐出口からなる第２の吐出口列とを有し、前記第１の吐出口列の各前記吐出口と、前記第２の吐出口列の各前記吐出口とが前記副走査方向に等間隔で配列され、かつ前記第１の吐出口列の各前記吐出口と、前記第２の吐出口列の各前記吐出口とが千鳥配列されて構成される第１の吐出口列群が形成されて」いる点に相当する。
　
（６）上記（１）に照らせば、引用発明の「インク供給口のキャリッジスキャン方向前方側には、小ノズルがピッチ２Ｐで紙送り方向に配列された第７ノズル列が、インク供給口に近い場所に配列され、大ノズルがピッチ２Ｐで紙送り方向に配列された第８ノズル列が、インク供給口から遠い場所に配列されて、ノズルが紙送り方向のピッチＰで千鳥状に配列された第２のノズル列群を形成して」いる点は、本願発明の「前記共通液室の他方の側には、前記第１の吐出口列および前記第２の吐出口列のいずれか一方と同じ吐出量の前記吐出口からなる共通吐出量吐出口列と、前記共通吐出量吐出口列に対して前記主走査方向に隣接して配置され、前記第１の吐出口列群とは異なる吐出量の吐出口からなる非共通吐出量吐出口列とを有し、前記共通吐出量吐出口列の各前記吐出口と、前記非共通吐出量吐出口列の各前記吐出口とが前記副走査方向に等間隔で配列され、かつ前記共通吐出量吐出口列の各前記吐出口と、前記非共通吐出量吐出口列の各前記吐出口とが千鳥配列されて構成される第２の吐出口列群が形成されて」いる点に相当する。
　
（７）引用発明の第１及び第２のノズル列群において、ノズルの紙送り方向のピッチは「Ｐ」であるから、大ノズルの配列ピッチ（２Ｐ）の１／２ピッチ分（Ｐ）前記紙送り方向にずれていることは、すなわちノズルの配列ピッチの１ピッチ分前記紙送り方向にずれていることになる。
　そうすると、引用発明の第１及び第２のノズル列群を大ノズルと中小ノズルとからなるノズル列として、その大ノズル同士の位置及び中小ノズル同士の位置に注目してみると、引用発明において、「第２のノズル列群のノズルは、第１のノズル列群のノズルに対して第１のノズル列群のノズルの配列ピッチの１ピッチ分前記紙送り方向にずれて配置されている」といえる。
　したがって、引用発明の上記「前記第２のノズル列群のノズルは、前記第１のノズル列群のノズルに対して前記第１のノズル列群のノズルの配列ピッチの１ピッチ分前記紙送り方向にずれて配置されている」点と、本願発明の「前記第２の吐出口列群は、前記第１の吐出口列群に対して前記第１の吐出口列群の吐出口の配列ピッチの１／２ピッチ分前記副走査方向にずれて配置されている」点とは、上記（１）に照らせば、「前記第２の吐出口列群は、前記第１の吐出口列群に対して前記第１の吐出口列群の吐出口の配列ピッチに対する一定の割合のピッチ分前記副走査方向にずれて配置されている」点で一致するといえる。
　
（８）また、引用発明の「インクジェット記録ヘッド（液体噴射記録ヘッド）」には、ブラック、シアン，マゼンタ，イエローを吐出するために４組の記録素子部が設けられており、該「４組の記録素子部」の各組の記録素子部は、上記（５）及び（６）からみて、それぞれ、前記第１の吐出口列群と前記第２の吐出口列群を備えているから、前記第１の吐出口列群と前記第２の吐出口列群とにより構成される吐出口列組は４組である。
　したがって、引用発明は、本願発明の「前記第１の吐出口列群と前記第２の吐出口列群とにより吐出口列組が複数構成され」との事項を有している。
　
（９）上記（１）ないし（８）からみて、本願発明と引用発明とは、
「共通液室から供給されたインクを吐出する複数の吐出口からなる複数の吐出口列が前記共通液室の両側に形成された、被記録媒体が走査される副走査方向に交差する方向である主走査方向に走査されるインクジェット記録ヘッドにおいて、
　前記共通液室の一方の側には、第１の吐出口列と、前記第１の吐出口列に対して前記主走査方向に隣接して配置され、前記第１の吐出口列の吐出量と異なる吐出量の前記吐出口からなる第２の吐出口列とを有し、前記第１の吐出口列の各前記吐出口と、前記第２の吐出口列の各前記吐出口とが前記副走査方向に等間隔で配列され、かつ前記第１の吐出口列の各前記吐出口と、前記第２の吐出口列の各前記吐出口とが千鳥配列されて構成される第１の吐出口列群が形成されており、
　前記共通液室の他方の側には、前記第１の吐出口列および前記第２の吐出口列のいずれか一方と同じ吐出量の前記吐出口からなる共通吐出量吐出口列と、前記共通吐出量吐出口列に対して前記主走査方向に隣接して配置され、前記第１の吐出口列群とは異なる吐出量の吐出口からなる非共通吐出量吐出口列とを有し、前記共通吐出量吐出口列の各前記吐出口と、前記非共通吐出量吐出口列の各前記吐出口とが前記副走査方向に等間隔で配列され、かつ前記共通吐出量吐出口列の各前記吐出口と、前記非共通吐出量吐出口列の各前記吐出口とが千鳥配列されて構成される第２の吐出口列群が形成されており、
　前記第１の吐出口列群と前記第２の吐出口列群とにより吐出口列組が複数構成され、
　前記第２の吐出口列群は、前記第１の吐出口列群に対して前記第１の吐出口列群の吐出口の配列ピッチに対する一定の割合のピッチ分前記副走査方向にずれて配置されているインクジェット記録ヘッド。」である点で一致し、次の点で相違する。
　
相違点１：
　前記第１の吐出口列群の吐出口の配列ピッチに対する一定の割合が、本願発明においては「１／２」であるのに対して、引用発明では、「１」である点。
相違点２：
　本願発明では、複数の前記吐出口列組のうち同色のインクを吐出する前記吐出口列組の前記非共通吐出量吐出口列どうしは、互いに前記非共通吐出量吐出口列の吐出口の配列ピッチの１／２ピッチ分前記副走査方向にずれて配置されているのに対して、
　引用発明では、前記吐出口列組は４組である（上記（８）参照。）が、吐出するインクの色も４色なので、同色のインクを吐出するものは１組である点。
　
４　判断
　上記相違点１及び２について検討する。
（１）複数のノズルを紙送り方向に１列に配列したのでは紙送り方向の所定の単位長さに多くのノズルを配列することが困難であるので、ノズル列を増やし、各ノズル列におけるノズルの配列ピッチが等しい複数のノズル列を各ノズル列におけるノズルの配列ピッチのノズル列数分の１ずつ紙送り方向にずらせて設け、紙送り方向の所定の単位長さに配列することができるノズル数を増加させたシリアル方式のインクジェットプリンタヘッドの技術分野において、ノズル列の数が４列であるものは、本願の出願前に周知である（以下「周知技術」という。例．特開昭５７−２１２０７４号公報（１頁左下１７行〜２頁左上欄６行、第１図参照。）、特開平３−１５３３５６号公報（４頁右上欄８〜１２行、６頁右上欄１１〜１４行、第２図（ｄ）参照。「オリフィス４５」が「ノズル」に相当する。）、特開平６−１５５７２６号公報（３頁右欄４６〜４８行、図３参照。「オリフィス１４」が「ノズル」に相当する。）、特開平６−１７１０８４号公報（【０００２】及び図１０参照。２頁左欄４０行の「図９」は「図１０」の明らかな誤記である。「ノズル開口」が「ノズル」に相当する。）、特開平８−３９７９８号公報（【００３５】〜【００３８】、図６及び図７参照。「ノズル開口」が「ノズル」に相当する。）、特開平９−７０９６６号公報（【００２４】〜【００２７】、図５参照。「インク吐出口」が「ノズル」に相当する。）、特開２００２−６７３１７号公報（【００２１】〜【００２５】、【００３５】〜【００３６】、図４及び図５参照。「ノズル開口」が「ノズル」に相当する。）、特表２００４−５０５８１９号公報（【００３１】〜【００３５】、図５及び図６参照。））。
　
（２）引用発明の液体噴射記録ヘッドは、大ノズルの数を中ノズルの数や小ノズルの数に対して倍の数にして、スキャン方向にピッチＰの位置で次々に大ドットによる印字を行い、１パスで印字が可能である高速印字する駆動周波数１５ｋＨｚ、６００ｄｐｉ×６００ｄｐｉの普通紙カラー印字の高速印字モードで印字できるようにし、前記第２のノズル列群の大ノズルがピッチ２Ｐで紙送り方向に配列された第８ノズル列の大ノズルは、前記第１のノズル列群の大ノズルがピッチ２Ｐで紙送り方向に配列された第５ノズル列の大ノズルに対して前記第１のノズル列群の第５ノズル列の大ノズルの配列ピッチ（２Ｐ）の１／２ピッチ分（Ｐ）前記紙送り方向にずれて配置されているものであるから、大ノズルからなるノズル列の数は２列であるところ、引用発明において、周知技術のように、大ノズルからなるノズル列の数を４列に増やし、各ノズル列におけるノズルの配列ピッチが等しい大ノズルからなる複数のノズル列を各ノズル列におけるノズルの配列ピッチの４分の１ずつ紙送り方向にずらせて設ければ、普通紙カラー印字の高速印字モードで、印字速度を落とすことなく、紙送り方向の所定の単位長さに配列することができる大ノズルの数を２倍に増加させて１２００ｄｐｉの画素密度で印字可能にできることは、当業者に自明のことである。
　したがって、引用発明において、印字速度を落とすことなく、紙送り方向１２００ｄｐｉの普通紙カラー印字の高速印字モードで印字できる（フォトの高速印字モード及びフォトの高画質印字モードも紙送り方向の解像度を倍にするか印字速度を倍にすることが可能になる。）ようにするために、大ノズルからなるノズル列の数が４列に増えるように前記「第１の吐出口列群」と前記「第２の吐出口列群」とにより構成された「同色のインクを吐出する吐出口列組」を２組となし、両組の大ノズルからなる複数のノズル列（第５及び第８ノズル列）を各ノズル列（第５及び第８ノズル列）におけるノズルの配列ピッチ（２Ｐ）の４分の１（Ｐ／２）ずつ紙送り方向にずれるように、各組において、前記「第２の吐出口列群」は、前記「第１の吐出口列群」に対して前記「第１の吐出口列群の吐出口の配列ピッチ（Ｐ）」の１／２ピッチ分（Ｐ／２）前記「副走査方向」にずれて配置し、かつ、２組の前記「同色のインクを吐出する吐出口列組」の前記「非共通吐出量吐出口列（第７ノズル列）」どうしは、互いに前記「非共通吐出量吐出口列（第７ノズル列）の吐出口の配列ピッチ（２Ｐ）」の１／２ピッチ分（Ｐ）前記「副走査方向（紙送り方向）」にずれて配置されているものとすることは、当業者が周知技術に基づいて容易に想到することができた程度のことである。
　よって、引用発明において、上記相違点１及び２に係る本願発明の構成となすことは、当業者が周知技術に基づいて容易になし得た程度のことである。
　
（３）効果について
　本願発明の奏する効果は、引用発明の奏する効果及び周知技術の奏する効果から当業者が予測できた程度のものである。
　
（４）まとめ
　したがって、本願発明は、当業者が、引用例に記載された発明及び周知技術に基づいて容易に発明をすることができたものである。
　
５　むすび 
　以上のとおり、本願発明は、当業者が、引用例に記載された発明及び周知技術に基づいて容易に発明をすることができたものであるから、特許法第２９条第２項の規定により特許を受けることができない。
　よって、結論のとおり審決する。